(57)【要約】      （修正有）【課題】機械部品等の高さを測定できるだけではなく、縦面に形成されている凹段差部等の縦方向の寸法を、精密に、また簡単且つ迅速に測定できるハイトゲージ及び測定部材を提供する。【解決手段】ベース１に垂直状に設けられているガイド部材２と、このガイド部材２に案内されて上下動するスライダー３とを備える。スライダー３に設けられている測定部材４を、測定時において測定面４ａ１が下向き状の一方の測定子４ａと、測定面４ｂ１が上向き状の他方の測定子４ｂとで形成する。この一方の測定子４ａと他方の測定子４ｂを、測定面４ａ１、４ｂ１の高さＨを同一にすると共に、測定時に配置される測定位置と不使用時に配置される退避位置とに配置替え自在に形成する。【選択図】図１
0003150056.tif 000002
【実用新案登録請求の範囲】
【請求項１】
ベースに垂直状に設けられているガイド部材と、このガイド部材に案内されて上下動するスライダーとを備え、このスライダーに測定部材が設けられているハイトゲージであって、上記の測定部材が、測定時において測定面が下向き状の一方の測定子と、測定面が上向き状の他方の測定子とで形成され、この一方の測定子と他方の測定子が、測定面の高さを同一にすると共に、測定時に配置される測定位置と不使用時に配置される退避位置とに配置替え自在に形成されていることを特徴とするハイトゲージ。
【請求項２】
請求項１記載のハイトゲージであって、一方の測定子と他方の測定子とが、水平面上において反対側に配置されると共に、縦軸を中心に反対側に回転して配置替え自在に形成されていることを特徴とするハイトゲージ。
【請求項３】
請求項１又は２記載のハイトゲージ用の測定部材であって、スライダーに着脱自在に設けられていることを特徴とするハイトゲージ用の測定部材。
【考案の詳細な説明】
【技術分野】
【０００１】
本考案は、機械部品等の高さを測定する際に使用するハイトゲージに関し、更に詳しくはハイトゲージ及びこれに用いる測定部材に関するものである。
【背景技術】
【０００２】
従来、この種のハイトゲージは、通常、例えば図７に示されるように、ベースａに垂直状に設けられている例えばゲージ状のガイド部材ｂと、このガイド部材ｂに案内されて上下動するスライダーｃとを備え、このスライダーｃに測定部材ｄとしての測定子が設けられて構成されている。
また従来、例えば特許文献１に記載されているように、測定針が、ホルダーに対して止めねじの軸線まわりに回動可能に形成され、測定面を測定対象の面に向けて調整可能に形成されているハイトゲージも知られている。
【０００３】
而して、この種のハイトゲージは、図７Ａに示されるように、測定部材ｄとしての測定子の測定面ｅを、機械部品ｆ等の上面に当接させ、アナログ形式の場合は目盛を読み取り、またデジタル形式の場合はスライダーに表示される数値を読み取って、夫々の高さｈを測定するものである。
また特許文献１の従来品の場合も、測定作業の際に測定針（測定子）を水平面上で回動させることができる点で図７に示される従来品と異なるだけであり、測定の仕方自体は、図７に示される従来品の場合と同様であった。
【０００４】
従って従来品は、このように測定子の測定面が下向き状に形成され、この種の測定子だけで構成されていたから、従来品によると、図７Ａに示されるように、上下の内面を有する被測定部９（垂直面等に形成される凹段差部や凹孔等）の縦方向の寸法Ｍを、精密に、また簡単、迅速に測定することができない、という問題点があった。
【特許文献１】特開平１１−１１８４０５号公報
【考案の開示】
【考案が解決しようとする課題】
【０００５】
本考案は、このような従来品の問題点に鑑み、提案されたものである。
従って本考案が解決しようとする技術的課題は、機械部品等の高さを測定できるだけではなく、縦面に形成されている凹段差部等の縦方向の寸法を、精密に、また簡単且つ迅速に測定できるよう形成した使い勝手の良いハイトゲージ及びこれに使用する測定部材を提供することにある。
【課題を解決するための手段】
【０００６】
本考案は、上記の課題を解決するため、次のような技術的手段を採る。
即ち本考案のハイトゲージは、図１等に示されるように、ベース１に垂直状に設けられているガイド部材２と、このガイド部材２に案内されて上下動するスライダー３とを備え、このスライダー３に測定部材４が設けられているハイトゲージであって、上記の測定部材４が、測定時において測定面４ａ１が下向き状の一方の測定子４ａと、測定面４ｂ１が上向き状の他方の測定子４ｂとで形成され、この一方の測定子４ａと他方の測定子４ｂが、測定面４ａ１、４ｂ１の高さＨを同一にすると共に、測定時に配置される測定位置と不使用時に配置される退避位置とに配置替え自在に形成されていることを特徴とする（請求項１）。
【０００７】
本考案の場合、測定部材４は、通常、一方の測定子４ａと他方の測定子４ｂとを夫々一個づつ備えて形成されるが、個数は任意である。また一方の測定子４ａと他方の測定子４ｂは、操作を簡便化できることから、一体状態で一緒に回転するのが好ましいが、本考案品はこれに限定されるものではなく、夫々独立して別個に動作するよう形成されているのでも良い。またここで、測定面４ａ１、４ｂ１の高さＨを同一にする、とは、一方の測定子４ａと他方の測定子４ｂの始動位置（始動高さ）が同一である、ということを意味する。また本考案の場合、一方の測定子４ａと他方の測定子４ｂの配置替えは、具体的には一方の測定子４ａと他方の測定子４ｂを、縦軸周りや横軸周りに所定角度回転させることで実現される。
【０００８】
而して本考案は、一方の測定子４ａと他方の測定子４ｂとが、水平面上において反対側に配置されると共に、縦軸Ｌを中心に反対側に回転して配置替え自在に形成されているのが好ましい（請求項２）。
【０００９】
なぜならこれによると、一方の測定子４ａと他方の測定子４ｂが縦軸Ｌを中心に一緒に１８０度回転するため、一回の操作で楽に配置替えでき、また測定位置と退避位置が反対側であるから、退避位置の測定子が測定操作に支障を及ぼすことを防止できるからである。またこの場合は、一方の測定子４ａと他方の測定子４ｂとが、水平面上において縦軸Ｌを中心に回転するため、横軸を中心に回転する場合に比べ、一方の測定子４ａと他方の測定子４ｂの測定面４ａ１、４ｂ１の高さＨを低く抑えることができ、その分、低い位置から測定でき、測定範囲が長くなるからである。
【００１０】
また本考案のハイトゲージに使用する測定部材４としては、請求項１又は２記載のハイトゲージであって、スライダー３に着脱自在に設けられていることを特徴とするものがある（請求項３）。
この場合、測定部材４の着脱は、例えばネジ等の締め付け具や、バネ圧を利用したクランパーや、或いは嵌合手段等で実現される。
【考案の効果】
【００１１】
本考案は、このように測定面が下向き状の一方の測定子と、上向き状の他方の測定子とで測定部材が形成され、この各測定子が、測定面の高さを同一にすると共に、測定時に配置される測定位置と不使用時に配置される退避位置とに配置替え自在に形成されているものである。
【００１２】
従って本考案によれば、一方の測定子で、通常通り、機械部品等の高さを精密に測定できるだけではなく、一方の測定子の測定面を凹段差部等の被測定部の内側上面に当接させ、また他方の測定子の測定面を内側下面に当接させ、後者の測定値から前者の測定値を引くことにより、凹段差部等の被測定部の縦方向の寸法を、精密に、また簡単且つ迅速に測定できる。
また本考案の測定部材は、スライダーに着脱自在に設けられているから、従来のハイトゲージの測定部材と交換することにより、上記と同様、一方の測定子で、通常通り、機械部品等の高さを精密に測定できるだけではなく、凹段差部等の被測定部の縦方向の寸法を、精密に、また簡単且つ迅速に測定できる。
【考案を実施するための最良の形態】
【００１３】
以下、本考案の好適な一実施形態を添付図面に従って説明する。
本考案のハイトゲージは、図１Ａ、図２等に示されるように、ベース１に垂直状に設けられているガイド部材２と、このガイド部材２に案内されて上下動するスライダー３とを備え、このスライダー３に測定部材４が設けられている。この実施形態の本考案品は、測定値がスライダー３に数値で表示されるようデジタル型に形成されている。
【００１４】
上記の測定部材４は、測定時において測定面４ａ１が下向き状の一方の測定子４ａと、測定面４ｂ１が上向き状の他方の測定子４ｂとで形成されている。この場合、一方の測定子４ａと他方の測定子４ｂは、この実施形態では、図４に示されるように、ネジ５で重合状に連結されて一体状に形成されている。
【００１５】
またこの実施形態の場合、測定部材４は、図２〜図４等に示されるように、止めねじ６で水平状の支持部材７に止め付けられ、止めねじ６を操作することでスライダー３に着脱自在に設けられている。支持部材７は、スライダー３のホルダー部８に、進退動作自在に保持されている。ホルダー部８は、スライダー３に固定されているＬ字形部材８ａと、このＬ字形部材８ａの水平部８ａ１に外装されている方形の枠部材８ｂと、この枠部材８ｂの上面に取り付けられている螺子８ｃとを備えて形成されている。支持部材７は、その基端が上記の枠部材８ｂ内に差込まれ、螺子８ｃによってＬ字形部材８ａの水平部８ａ１に圧着されることにより、ホルダー部８に保持されるよう形成されている。
【００１６】
また一方の測定子４ａと他方の測定子４ｂは、測定面４ａ１、４ｂ１の高さＨ（図１参照）を同一にすると共に、測定時に配置される測定位置と不使用時に配置される退避位置とに配置替え自在に形成されている。この実施形態の場合は、具体的には一方の測定子４ａと他方の測定子４ｂとが、水平面上において反対側に配置されると共に、縦軸Ｌを中心に反対側に回転して配置自在に形成されている（図４、図５参照）。測定位置は、スライダー３から離された前方位置であり、退避位置はスライダー３に近接した位置である。
【００１７】
次に本考案品の使用例を説明する。
先ず、作業者は、図１Ｂに示されるように、一方の測定子４ａの測定面４ａ１を、機械部品ｆ等の被測定部９としての凹段差部の内側上面に当接させ、高さＨ１をスライダー３の表示部の数値を読み取って測定する。次に、作業者は、止めねじ６を緩め、他方の測定子４ｂを縦軸Ｌ（この実施形態では止めねじ６の軸）を中心に反転させてから止めねじ６を締め付け、他方の測定子４ｂを退避位置から測定位置に配置替えする。
【００１８】
次に、作業者は、この状態で図１Ｂに示されるように、他方の測定子４ｂの測定面４ｂ１を、被測定部９としての凹段差部の内側下面に当接させる。そしてスライダー３の表示部に示される数値を読み取り、高さＨ２を測定する。そして作業者は、高さＨ２の測定値から、高さＨ１の測定値を減算し、被測定部９の縦方向の寸法Ｍを得る。この場合、測定の順序は、先に高さＨ２を測定した後、高さＨ１を測定して寸法Ｍを算出するのでも良いことは勿論である。
【００１９】
以上の処において、上例はデジタル型に形成されているが、本考案は、図６に示されるように、本尺状のガイド部材２に沿って副尺を有するスライダー３が上下動自在に形成されてアナログ型に構成されているのでも良い。
【００２０】
また上例は、一方の測定子４ａと他方の測定子４ｂが、縦軸Ｌを中心に水平状態で回転して測定位置と退避位置に配置されるよう形成されているが、本考案は、これに限定されるものではなく、例えば一方の測定子４ａと他方の測定子４ｂが、垂直面上において略９０度隔てて設けられ、横軸を中心に水平状の測定位置と、垂直状の退避位置に配置替えされるよう形成されているのでも良い。
【００２１】
また本考案の場合、測定部材４は、図６に示されるように、スライダー３の支持部３ａに止めねじ６で着脱自在に設けられているのでも良い。
【図面の簡単な説明】
【００２２】
【図１】本考案のハイトゲージの好適な一実施形態を示し、Ａは側面図、Ｂは測定操作を説明するための要部側面図である。
【図２】同上ハイトゲージの要部斜視図である。
【図３】同上ハイトゲージの裏側から見た要部斜視図である。
【図４】同上ハイトゲージの要部側面図である。
【図５】図４のＶ−Ｖ線における平面図である。
【図６】アナログ型の同上ハイトゲージを示し、Ａは測定操作を説明するための要部側面図、Ｂは側面図である。
【図７】従来品を示し、Ａは測定操作を説明するための要部側面図、Ｂは側面図である。
【符号の説明】
【００２３】
１    ベース
２    ガイド部材
３    スライダー
４    測定部材
４ａ    一方の測定子
４ａ１  測定面
４ｂ    他方の測定子
４ｂ１  測定面
Ｈ    測定面の高さ
【図１】
0003150056.tif 000003
【図２】
0003150056.tif 000004
【図３】
0003150056.tif 000005
【図４】
0003150056.tif 000006
【図５】
0003150056.tif 000007
【図６】
0003150056.tif 000008
【図７】
0003150056.tif 000009
【手続補正書】
【提出日】平成21年2月19日(2009.2.19)
【手続補正１】
【補正対象書類名】実用新案登録請求の範囲
【補正対象項目名】請求項３
【補正方法】変更
【補正の内容】
【請求項３】
測定時において測定面が下向き状の一方の測定子と、測定面が上向き状の他方の測定子とで形成され、この一方の測定子と他方の測定子が、測定面の高さを同一にすると共に、水平面上において反対側に配置され、且つ縦軸を中心に反対側に回転して測定時に配置される測定位置と不使用時に配置される退避位置とに配置替え自在に形成されていることを特徴とする測定部材。
【手続補正２】
【補正対象書類名】明細書
【補正対象項目名】００１０
【補正方法】変更
【補正の内容】
【００１０】
また本考案のハイトゲージに使用する測定部材４としては、測定時において測定面４ａ１が下向き状の一方の測定子４ａと、測定面４ｂ１が上向き状の他方の測定子４ｂとで形成され、この一方の測定子４ａと他方の測定子４ｂが、測定面４ａ１、４ｂ１の高さＨを同一にすると共に、水平面上において反対側に配置され、且つ縦軸Ｌを中心に反対側に回転して測定時に配置される測定位置と不使用時に配置される退避位置とに配置替え自在に形成されていることを特徴とするものがある（請求項３）。
この場合、測定部材４は、例えばネジ等の締め付け具や、バネ圧を利用したクランパーや、或いは嵌合手段等でスライダー３に着脱自在に設けられる。
【手続補正３】
【補正対象書類名】明細書
【補正対象項目名】００１２
【補正方法】変更
【補正の内容】
【００１２】
従って本考案によれば、一方の測定子で、通常通り、機械部品等の高さを精密に測定できるだけではなく、一方の測定子の測定面を凹段差部等の被測定部の内側上面に当接させ、また他方の測定子の測定面を内側下面に当接させ、後者の測定値から前者の測定値を引くことにより、凹段差部等の被測定部の縦方向の寸法を、精密に、また簡単且つ迅速に測定できる。
また本考案の測定部材は、上記と同様、一方の測定子で、通常通り、機械部品等の高さを精密に測定できるだけではなく、凹段差部等の被測定部の縦方向の寸法を、精密に、また簡単且つ迅速に測定できる。